(57)【要約】【課題】着信報知が１回である相手側をユーザが容易に知ることを可能な通信装置を提供する。【解決手段】制御回路は、相手側からの着信があると判定すると、着信音の鳴動回数をカウントし（Ｓ２ステップ）、回線断時に着信音の鳴動回数が１回であると判定すると、着信音鳴動回数が１回であることを示すデータを電話番号データに付してメモリに格納し（Ｓ９ステップ）、着信履歴を表示する際には、着信音鳴動回数が１回である相手側の電話番号データにマーカを付して表示する（Ｓ１２ステップ）。【選択図】　　　　図２
2004007054.tif 000002
【特許請求の範囲】
【請求項１】
着信履歴表示の際に、着信報知回数が予め定めた回数以下である相手側の電話番号データは、他の電話番号データと表示形態を異ならせることを特徴とする通信装置。
【請求項２】
請求項１記載の通信装置であり、上記着信報知回数が予め定めた回数以下である相手側の電話番号データは、マーカを付して表示部に表示させることを特徴とする通信装置。
【請求項３】
請求項１記載の通信装置であり、上記着信報知回数が予め定めた回数以下である相手側の電話番号データは、他の電話番号データと表示色を異ならせて表示することを特徴とする通信装置。
【請求項４】
請求項１記載の通信装置であり、上記着信報知回数が予め定めた回数以下である相手側の電話番号データは、点滅させて表示することを特徴とする通信装置。
【請求項５】
請求項１記載の通信装置であり、上記着信報知回数が予め定めた回数以下である相手側の電話番号データは、表示しないことを特徴とする通信装置。
【請求項６】
請求項１〜５記載の通信装置であり、上記着信報知回数が予め定めた回数以下である相手側の電話番号データを用いて発呼を行うことを禁止することを特徴とする通信装置。
【請求項７】
着信時に、着信報知回数が予め定めた回数以下である相手側の電話番号データを受信すると、上記電話番号データを、着信履歴データを格納するメモリに格納しないことを特徴とする通信装置。
【請求項８】
請求項１〜７記載の通信装置であり、上記予め定めた回数は１回であることを特徴とする通信装置。
【請求項９】
相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、
上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データにはマーカを付して上記表示手段に表示させることを特徴とする通信装置。
【請求項１０】
相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、
上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは他の電話番号データと表示色を異ならせて上記表示手段に表示させることを特徴とする通信装置。
【請求項１１】
相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、
上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは点滅させて上記表示手段に表示させることを特徴とする通信装置。
【請求項１２】
相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、
上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは上記表示手段に表示させないことを特徴とする通信装置。
【請求項１３】
請求項９〜１２記載の通信装置であり、上記着信報知回数が所定の回数以下である相手側の電話番号データを用いて発呼を行うことを禁止することを特徴とする通信装置。
【請求項１４】
相手側からの電話番号データを受信可能な送受信手段と、着信時に着信報知回数をカウントするカウント手段と、表示手段と、着信履歴のデータを格納する格納手段と、制御手段とを有し、
上記制御手段は、着信時に上記カウント手段に着信報知回数をカウントさせ、上記カウント手段にてカウントされた報知回数が所定回数以下である着信に対しては、着信履歴データを上記格納手段に格納しないことを特徴とする通信装置。
【請求項１５】
請求項９〜１４に記載の通信装置であり、
上記所定回数は１回であることを特徴とする通信装置。
【発明の詳細な説明】
【０００１】
【発明の属する技術分野】
本発明は、特に携帯電話装置等の通信装置に関する。
【０００２】
【従来の技術】
近年、通話だけでなく、ＩＰ網と接続してメール配信や、画像や音楽のダウンロード等が可能な携帯電話装置が爆発的に普及している。
【０００３】
又、携帯電話の普及と共に、携帯電話に関する様々な問題も生じている。
【０００４】
例えば、会員加入等を催促する内容のメールがどこからか配信され、メール着信側にメールの着信料金が負担されるといった問題がある。又、ワンギリと呼ばれる問題もある。これは、着信側の携帯電話端末に１回のみ着信音を鳴動させて回線を切断し、着信のあった端末のユーザが着信履歴を見て、誰からの着信であるかの確認を行う為に発呼をかけた側を呼び出すと、後で情報料として金銭が請求されるといったものである。
【０００５】
【発明が解決しようとする課題】
通常の携帯電話では、着信履歴として、相手側の電話番号と氏名が表示されるだけである為、ユーザはワンギリの着信であるか否かを判断することができなかった。
【０００６】
この為、ユーザはだれからの着信であるかを確認する為に着信履歴を見て、着信音の鳴動回数が１回であるか否かに係わらず、着信があった相手側へ発呼を行い、情報料金を取られてしまうという問題が生じる。
【０００７】
【課題を解決するための手段】
本発明はこのような課題を解決する為のものであり、請求項１記載の通信装置は、着信履歴表示の際に、着信報知回数が予め定めた回数以下である相手側の電話番号データは、他の電話番号データと表示形態を異ならせることを特徴とする。
【０００８】
請求項２記載の通信装置は、請求項１記載の通信装置であり、上記着信報知回数が予め定めた回数以下である相手側の電話番号データは、マーカを付して表示部に表示させることを特徴とする。
【０００９】
請求項３記載の通信装置は、請求項１記載の通信装置であり、上記着信報知回数が予め定めた回数以下である相手側の電話番号データは、他の電話番号データと表示色を異ならせて表示することを特徴とする。
【００１０】
請求項４記載の通信装置は、請求項１記載の通信装置であり、上記着信報知回数が予め定めた回数以下である相手側の電話番号データは、点滅させて表示することを特徴とする。
【００１１】
請求項５記載の通信装置は、請求項１記載の通信装置であり、上記着信報知回数が予め定めた回数以下である相手側の電話番号データは、表示しないことを特徴とする。
【００１２】
請求項６記載の通信装置は、請求項１〜５記載の通信装置であり、上記着信報知回数が予め定めた回数以下である相手側の電話番号データを用いて発呼を行うことを禁止することを特徴とする。
【００１３】
請求項７記載の通信装置は、着信時に、着信報知回数が予め定めた回数以下である相手側の電話番号データを受信すると、上記電話番号データを、着信履歴データを格納するメモリに格納しないことを特徴とする。
【００１４】
請求項８記載の通信装置は、請求項１〜７記載の通信装置であり、上記予め定めた回数は１回であることを特徴とする。
【００１５】
請求項９記載の通信装置は、相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データにはマーカを付して上記表示手段に表示させることを特徴とする。
【００１６】
請求項１０記載の通信装置は、相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは他の電話番号データと表示色を異ならせて上記表示手段に表示させることを特徴とする。
【００１７】
請求項１１記載の通信装置は、相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは点滅させて上記表示手段に表示させることを特徴とする。
【００１８】
請求項１２記載の通信装置は、相手側からの電話番号データを受信可能な送受信手段と、着信時に着信報知回数をカウントするカウント手段と、表示手段と、上記着信報知回数に関するデータである着信報知データと着信履歴に関するデータを格納する格納手段と、制御手段とを有し、上記制御手段は、着信時に上記カウント手段に着信報知回数をカウントさせ、上記着信報知データと上記送受信手段が受信した電話番号データとを上記格納手段に格納させ、着信履歴のデータを表示する際に、上記格納手段に格納された上記着信報知データが所定の回数以下の着信報知を示すデータである電話番号データは上記表示手段に表示させないことを特徴とする。
【００１９】
請求項１３記載の通信装置は、請求項９〜１２記載の通信装置であり、上記着信報知回数が所定の回数以下である相手側の電話番号データを用いて発呼を行うことを禁止することを特徴とする。
【００２０】
請求項１４記載の通信装置は、相手側からの電話番号データを受信可能な送受信手段と、着信時に着信報知回数をカウントするカウント手段と、表示手段と、着信履歴のデータを格納する格納手段と、制御手段とを有し、上記制御手段は、着信時に上記カウント手段に着信報知回数をカウントさせ、上記カウント手段にてカウントされた報知回数が所定回数以下である着信に対しては、着信履歴のデータを上記格納手段に格納しないことを特徴とする。
【００２１】
請求項１５記載の通信装置は、請求項９〜１４に記載の通信装置であり、上記所定回数は１回であることを特徴とする。
【００２２】
【発明の実施の形態】
本発明を適用してなる実施例装置では、着信音の鳴動回数が１回である相手先からの着信であるか否かをユーザが容易に知ることを可能にしている。
【００２３】
図１は、本発明を適用してなる実施例装置である電子機器（例えば、携帯電話装置）のブロック図である。
【００２４】
図１において、電話通信部１は、後述するベースバンド部３からの信号をアンテナ２を介して基地局へ発信したり、アンテナ２を介して基地局からの電波を受信したりする。
【００２５】
ベースバンド部３は、ＣＤＭＡ（Ｃｏｄｅ　Ｄｉｖｉｓｉｏｎ　Ｍｕｉｔｉｐｌｅ　Ａｃｃｅｓｓ）処理回路３１と、音声コーデック処理回路３２とを有する。上記ＣＤＭＡ処理回路３１は、符号分割多元接続、スクランブル、誤り制御、タイミング検出等を行う。上記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
又、上記ベースバンド部３は、相手側から送信される電話番号データを受信することも可能である。
【００２６】
通話に使用されるスピーカ４は、アンプ５で増幅された切替回路１１からの電気信号を音声信号に変換する。通話に使用されるマイクロホン６は、音声信号を電気信号に変換しアンプ７へ出力する。又、アンプ７により増幅された電気信号は、切替回路１１に出力される。
【００２７】
切替回路１１は、２つのアンプ５、アンプ７とベースバンド部３との接続を後述する制御回路１２の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１２の制御によりベースバンド部３の音声コーデック３２が行う。
【００２８】
マイクロプロセッサからなる制御回路１２は、例えばＲＯＭ（Ｒｅａｄ　Ｏｎｌｙ　Ｍｅｍｏｒｙ）からなる第１格納部１０に格納されたシステムプログラムに基づいて、各部を制御する。
【００２９】
第２格納部１３は、例えばＳＲＡＭ（Ｓｔａｔｉｃ　Ｒａｎｄｕｍ　Ａｃｃｅｓｓ　Ｍｅｍｏｒｙ）からなり、電話番号データ、呼び出し音の鳴動回数が１回（或いは所定以下）であるか否かを示すデータや呼出し音の鳴動回数を示すデータ等を格納可能である。
【００３０】
アンプ１４と接続されたスピーカ１５は、呼出し音を出力する。
【００３１】
表示部１６は、電話番号や相手先の氏名等を表示可能である。
【００３２】
入力部１７は、通話キー、切キー、テンキー等からなる。
【００３３】
図２は、本発明を適用してなる実施例装置のフロー図である。
【００３４】
Ｓ１ステップにおいて、制御回路１２は、電話通信部１から着信があることを示す信号を検出すると、Ｓ２ステップへ処理を進め、そうでなければ、Ｓ１１ステップへ処理を進める。
【００３５】
Ｓ２ステップでは、制御回路１２は、アンプ１４を介してスピーカ１５に呼出し音を出力すると共に、呼出し音の鳴動回数をカウントする。
【００３６】
Ｓ３ステップでは、制御回路１２は、入力部１７から通話キーの押下があることを示す信号を検出するとＳ４ステップへ処理を進め、そうでなければＳ７ステップへ処理を進める。
【００３７】
Ｓ４ステップでは、制御回路１２は、電話通信部１とベースバンド部３を制御することにより相手側との無線接続を行わせると共に着信音鳴動カウントを停止し、Ｓ５ステップへ処理を進める。
【００３８】
Ｓ５ステップでは、制御回路１２は、入力部１７から切キーの押下を示す信号を検出するか、電話通信部１から相手側が通信を切断したことを示す信号を検出すると、Ｓ６ステップへ処理を進め、そうでなければＳ４ステップへ処理を戻す。
【００３９】
Ｓ６ステップでは、制御回路１２は、相手側との通信を終了するように電話通信部１を制御し、Ｓ１ステップへ処理を戻す。
【００４０】
Ｓ７ステップでは、制御回路１２は、電話通信部１から相手側が通信を断したことを示す信号を検出すると、呼出し音の鳴動カウントを停止すると共に、そのカウント回数の情報を第２格納部１３へ格納し、Ｓ８ステップへ処理を進め、そうでなければＳ２ステップへ処理を戻す。
【００４１】
Ｓ８ステップでは、制御回路１２は、上記第２格納部１３へ格納したカウント回数の情報を参照し、上記Ｓ２ステップからカウントした着信音の鳴動回数が１回であると判定すると、Ｓ９ステップへ処理を進め、そうでなければ、Ｓ１０ステップへ処理を進める。
【００４２】
Ｓ９ステップでは、制御回路１２は、ベースバンド部３から相手側の電話番号データを入力し、入力した電話番号データに１回だけ着信音を鳴動したことを示す情報を付して第２格納部１３に格納する。
【００４３】
Ｓ１０ステップでは、制御回路１２は、ベースバンド部３が受信した電話番号データを第２格納部１３に格納し、処理を終了する。
【００４４】
Ｓ１１ステップでは、制御回路１２は、入力部１７から着信履歴表示を指示する入力があると判定するとＳ１２ステップへ処理を進め、そうでなければ、Ｓ１５ステップへ処理を進める。
【００４５】
Ｓ１２ステップでは、制御回路１２は、第２格納部１３に格納されている着信履歴のデータを表示部１６に表示させる。具体的には、制御回路１２は、図３の表示形態の図に示すように、第２格納部１３に格納されている電話番号データを複数とカーソル１６１を表示部１６に表示させると共に、着信音鳴動回数が１回であることを示すデータが付された電話番号データには、マーカ１６２を付して表示部１６に表示させる。
【００４６】
Ｓ１３ステップでは、制御回路１２は、選択された相手側への発呼処理を行うか否かを判定する。具体的には、制御回路１２が、入力部１７から表示部１６に表示されているカーソル１６１を移動するように指示があると判定すると、カーソル１６１を移動表示させ、続いて入力部１７から通話キーの押下指示があると判定すると、カーソル１６１が指示している相手側の電話番号先へ発呼を行うべくＳ１４ステップへ処理を進め、そうでなければ、着信履歴表示処理の終了後Ｓ１ステップへ処理を戻す。
【００４７】
Ｓ１４ステップでは、制御回路１２は、表示部１６のカーソル１６１が指示する相手側に対応する電話番号データを第２格納部１３から読み取り、電話通信部１とベースバンド部３を制御することにより読み取った電話番号先へ発呼処理を行い、相手側との通話の終了後、Ｓ１ステップへ処理を戻す。
【００４８】
Ｓ１５ステップでは、制御回路１２は、入力部１７から他の動作の指示（例えば、メール作成や、電話番号入力からの発呼動作等）があると判定すると、Ｓ１６ステップへ処理を進め、そうでなければ、Ｓ１ステップへ処理を戻す。
【００４９】
Ｓ１６ステップでは、制御回路１２は、上記Ｓ１５ステップにおける指示入力に対応する動作処理を行い、その動作終了後Ｓ１ステップへ処理を戻す。
【００５０】
このように、本実施例装置では、相手側からの着信時に着信音が１回しか鳴動されない場合には、その旨を示すデータを相手側の電話番号データに付して第２格納部１３に格納し、着信履歴を表示部１６に表示する際には、着信音が１回しか鳴動されたなかった電話番号データにはマーカ１６２が付される為、ユーザは上記マーカ１６２を見ることにより、１回しか着信音が鳴動されなかった着信であることを知ることができる。
【００５１】
又、着信音を１回だけ鳴動しただけで通信を切断すると、今から家に帰ることを示すことを家族で取り決め、通話料金をかけないようにする場合がある。この場合、本実施例では、１回の着信音鳴動で無線接続が断となった通信の電話番号データにはマーカが付される為、このような取決めを決めた場合においても、ユーザにとって必要な着信履歴である家族からの着信が消去されることがなく、ワンギリと通常の着信を区別することが可能である。
【００５２】
尚、本実施例では、着信音の鳴動回数が１回であることを示す情報と相手側の電話番号データを第２格納部１３に格納し、表示部１６に着信履歴を表示する際に、着信音の鳴動回数が１回であることを示す情報が付された電話番号データには、マーカ１６２を付して表示部１６に表示する構成としたが、着信音の鳴動回数が１回であることを示す情報が付された電話番号データは、上記表示部１６に表示しない構成としても良い。
【００５３】
又、着信音の鳴動回数の情報と相手側の電話番号データとを第２格納部１３に格納し、表示部１６に着信履歴を表示する際に、着信音の鳴動回数が１回である相手側の電話番号にはマーカを付したり、表示部１６に表示させない構成としても良い。
【００５４】
更に、マーカを付すか或いは電話番号を表示しない為の条件である着信音の鳴動回数をユーザが設定する構成としても良い。このような構成とした場合には、以下の構成例が考えられる。
【００５５】
例えば、着信時に着信音の鳴動回数をカウントし、カウントした鳴動回数の情報と電話番号データとを第２格納部１３に格納し、着信履歴を表示する際に、鳴動回数が予め定められた回数であると、電話番号データにマーカを付して表示部１７に表示するか、或いは電話番号データを表示部１７に表示しない構成としても良い。
【００５６】
又、着信時に着信音の鳴動回数をカウントし、カウントした鳴動回数が予め定められた回数以下である場合には、鳴動回数が予め定められた回数以下であることを示す情報と電話番号データとを第２格納部１３に格納し、着信履歴を表示する際に、鳴動回数が予め定められた回数であることを示す情報が付された電話番号データには、マーカを付して表示部１７に表示するか、或いは電話番号データを表示部１７に表示しない構成としても良い。
【００５７】
他の構成として、１回しか着信音が鳴動されなかった相手側の電話番号データは第２格納部１３に格納しない構成としても良く、又、表示部にマーカを付した電話番号を表示、或いは、電話番号を表示しない条件である着信音の鳴動回数を予め設定可能とし、予め定めた回数以下の着信音鳴動の着信に対しては、電話番号データを第２格納部１３に格納しない構成としても良い。
【００５８】
又、本実施例では、電話番号データにマーカを付した構成としたが、着信履歴を表示する際に、着信音の鳴動回数が１回（或いは所定の回数）である電話番号データは、他の電話番号データと表示色を異ならせて表示したり、点滅表示する構成としても良い。
【００５９】
更に、着信音の鳴動回数が１回（或いは所定の回数）である電話番号データを用いて相手側に発呼を行うことを禁止する構成としても良い。
【００６０】
本実施例では、携帯電話装置について実施したが、ＰＨＳ（ＰｅｒｓｏｎａｌＨａｎｄｙｐｈｏｎｅ　Ｓｙｓｔｅｍ）や、コードレス電話等の通信装置においても、実施することが可能である。
【００６１】
本実施例では、着信音の鳴動回数をカウントする構成としたが、バイブレータ機能を有する通信装置等においては、バイブレータの振動回数をカウントする構成としても良い。このように、着信音の鳴動回数だけでなく、バイブレータの振動回数等の着信報知回数をカウントする構成とすることもできる。
【００６２】
【発明の効果】
本発明は、着信報知が１回である相手側をユーザが容易に知ることを可能にする。
【図面の簡単な説明】
【図１】本発明を適用してなる実施例装置のブロック図である。
【図２】本実施例装置のフロー図である。
【図３】表示部１６の表示形態図である。
【符号の説明】
１　通信部
３　ベースバンド部
１２　制御回路
１３　第２格納部
１６　表示部
１７　入力部
【図１】
2004007054.tif 000003
【図２】
2004007054.tif 000004
【図３】
2004007054.tif 000005